(57)【要約】【課題】断熱材をドレンパンに固定配置するための構成を簡素化して組み立て易くすることがとともに、コスト低減を図ることができる空気調和機を提供することを目的とする。【解決手段】室内熱交換器１７の下方に吹出しグリル７と一体に成形されているドレンパン２１が配設され、該ドレンパン２１の前面および両側面に各々断熱材２８Ａ，２８Ｂが固定配置されている空気調和機１において、前面側断熱材２８Ａの端部および側面側断熱材２８Ｂの端部の少なくとも一部が互いにインロー配置３０とされ、該インロー配置３０とされた両断熱材２８Ａ，２９Ｂの互いに重なり合っている部分がネジ２９により共締め固定されている。【選択図】図３
2010121872.tif 000002
【特許請求の範囲】
【請求項１】
室内熱交換器の下方に吹出しグリルと一体に成形されているドレンパンが配設され、該ドレンパンの前面および両側面に各々断熱材が固定配置されている空気調和機において、
前記前面側断熱材の端部および前記側面側断熱材の端部の少なくとも一部が互いにインロー配置とされ、該インロー配置とされた両断熱材の互いに重なり合っている部分がネジにより共締め固定されていることを特徴とする空気調和機。
【請求項２】
前記ネジにより共締め固定されている前記断熱材が、前記前面側断熱材および左側面側断熱材とされていることを特徴とする請求項１に記載の空気調和機。
【発明の詳細な説明】
【技術分野】
【０００１】
本発明は、吹出しグリルと一体に成形されているドレンパンを備え、該ドレンパンの前面および両側面に各々断熱材が固定配置されている空気調和機に関するものである。
【背景技術】
【０００２】
空気調和機の室内機には、筐体内に設けられている室内熱交換器の下方に、該室内熱交換器の表面で発生し流下するドレン水を受けるためのドレンパンが設置されている。このドレンパンは、一般に温調空気を室内に吹出す吹出し口が設けられている吹出しグリルに一体成形されている。また、吹出しグリルには、吹出し口に風向調整用の縦ルーバや水平フラップが組み込まれるとともに、その側壁部には、該ルーバやフラップを駆動するためのモータやリンク機構等がブラケットを介して組み付けられるようになっている。
【０００３】
さらに、上記のドレンパンには、低温のドレン水によって冷却されるドレンパン外表面での結露を防止するために、その前面や左右両側面に発泡ウレタンや発泡スチロール等の発泡材により構成される断熱材が固定設置されている。この断熱材は、ドレンパンに対して数箇所でネジ止めされるか、もしくはドレンパンや吹出しグリルに組み付けられる他の部材を介して挟持されることにより固定設置されている（特許文献１，２，３参照）。
【０００４】
【特許文献１】特開２０００−２３４７５７号公報
【特許文献２】特開２００２−３４０３６１号公報
【特許文献３】特開２００２−３７２２５５号公報
【発明の開示】
【発明が解決しようとする課題】
【０００５】
ところで、ドレンパンに固定設置されている断熱材は、従来、ホットメルト等によって接着固定されていたが、リサイクル性が悪いこともあって、近年は、特許文献１，２，３に示されるように、ネジ止め固定もしくはドレンパンや吹出しグリルに組み付けられる他部材により挟持する構成が主流になっている。しかしながら、断熱材をネジ止め固定する場合は、前面および左右両側面の３箇所の断熱材を各々固定しなければならず、ネジ止め箇所が非常に多くなり、組み立て性が低下するとともに、必要なネジ数が多くなるという問題があった。
【０００６】
また、他部材により挟持して固定する方法では、例えば、吹出しグリルを他機種と共用化できても、吹出しグリルに組み付けられている部材で断熱材を挟持する構造としていた場合、当該部材の有無によって仕様が異なる機種では、断熱材の固定構造を変更しなければならなくなるため、必ずしも部品の共用化や生産性の向上には結び付かないという問題があった。
【０００７】
具体的には、風向を左右方向に調整する縦ルーバについては、左右のルーバを各々独立したモータにより個別に駆動可能としたもの、左右ルーバを１個のモータで連動して駆動可能としたもの、あるいはルーバを手で動かす構成としたもの等々、機種によって異なる仕様となる場合がある。この場合、吹出しグリルの側壁にブラケットを設置し、該ブラケットにルーバ駆動用モータを取り付けるとともに、該ブラケットで断熱材を挟持する構成とすることによって、ネジ数を削減していたが、ルーバを手で動かす機種では、ブラケットおよびモータの取り付けが不要となる。このため、わざわざ断熱材の固定用にブラケットのみを取り付けるか、もしくは別構成としてネジ止めにする必要があった。
【０００８】
本発明は、このような事情に鑑みてなされたものであって、断熱材をドレンパンに固定配置するための構成を簡素化して組み立て易くすることがとともに、コスト低減を図ることができる空気調和機を提供することを目的とする。
【課題を解決するための手段】
【０００９】
上記課題を解決するために、本発明の空気調和機は、以下の手段を採用する。
すなわち、本発明にかかる空気調和機は、室内熱交換器の下方に吹出しグリルと一体に成形されているドレンパンが配設され、該ドレンパンの前面および両側面に各々断熱材が固定配置されている空気調和機において、前記前面側断熱材の端部および前記側面側断熱材の端部の少なくとも一部が互いにインロー配置とされ、該インロー配置とされた両断熱材の互いに重なり合っている部分がネジにより共締め固定されていることを特徴とする。
【００１０】
本発明によれば、前面側断熱材の端部および側面側断熱材の端部の少なくとも一部が互いにインロー配置とされ、該インロー配置とされた両断熱材の互いに重なり合っている部分がネジにより共締め固定されているため、吹出しグリルが共用部品として用いられ、該吹出しグリルに組み付けられる部品が異なる場合であっても、前面側断熱材および側面側断熱材を共通の１個のネジによってドレンパンに対し共締め固定することができる。従って、断熱材をドレンパンに固定配置するためのネジを共用化してネジ数やブラケット等を削減し、構成を簡素化して組み立て易くすることができるとともに、コスト低減を図ることができる。
【００１１】
さらに、本発明の空気調和機は、上記の空気調和機において、前記ネジにより共締め固定されている前記断熱材が、前記前面側断熱材および左側面側断熱材とされていることを特徴とする。
【００１２】
本発明によれば、ネジにより共締め固定されている断熱材が、前面側断熱材および左側面側断熱材とされているため、左側面側断熱材を吹出しグリルの左側壁に組み付けられる左右ルーバ独立駆動用モータの有無にかかわりなく、前面側断熱材を固定するネジと共通のネジによって共締め固定することができる。従って、左右ルーバ独立駆動用モータの有無に対応して断熱材の固定構造を変更する必要がなく、部品の共用化を拡大し、生産性を高めることができる。
【発明の効果】
【００１３】
本発明によると、吹出しグリルが共用部品として用いられ、該吹出しグリルに組み付けられる部品が異なる場合であっても、前面側断熱材および側面側断熱材を共通の１個のネジによってドレンパンに対し共締め固定することができるため、断熱材をドレンパンに固定配置するためのネジを共用化してネジ数やブラケット等を削減し、構成を簡素化して組み立て易くすることができるとともに、コスト低減を図ることができる。
【発明を実施するための最良の形態】
【００１４】
以下に、本発明にかかる実施形態について、図面を参照して説明する。
以下、本発明の一実施形態について、図１ないし図４を用いて説明する。
図１には、本発明の一実施形態に係る壁掛け形空気調和機の外観斜視図が示され、図２には、その縦断面図が示されている。
空気調和機（室内機）１は、横長の直方体形状の筐体２を備えている。この筐体２は、筐体２の背面側を構成するベース３と、ベース３の前面側に被せられている前面パネル４と、前面パネル４の前面開口部５を覆っている吸込みパネル６と、前面パネル４の前面と下面間に配設されている吹出しグリル７等によって構成されている。
【００１５】
ベース３には、後述の室内熱交換器１７を構成する背面側熱交換器１７Ｄから流下するドレンを受ける背面側ドレンパン８と、後述するクロスフローファン（送風ファン）１８から吹出される空気の流路を形成する空気流路壁９と、冷媒配管類１０を収容する配管収容部１１等が一体に成形されている。前面パネル４には、上面に吸込みグリル１２が形成されているとともに、前面の開口部５の前方に吸込みパネル６が上方部を支点に上方に開閉可能に設置され、その下方部に吸込み口１３が開口されている。また、前面パネル４の前面と下面間に配設されている吹出しグリル７には、吹出し口１４が開口されている。
【００１６】
筐体２の内部には、吸込み口１３を含む前面パネル４の前面開口部５および吸込みグリル１２に沿って、エアフィルタ１５および空気浄化フィルタ１６が配設されており、その下流側に室内熱交換器１７が配設されている。室内熱交換器１７は、図２に示されているように、複数の前面側熱交換器１７Ａないし１７Ｃと背面側熱交換器１７Ｄとに分割されており、筐体２内の前面下部から上面および背面側にかけて、断面が概略Λ形状となるように折り曲げられて配設されている。
【００１７】
室内熱交換器１７の下流側の空間内には、細長い筒形形状とされたクロスフローファン（送風ファン）１８が水平軸周りに回転自在に配設され、筐体２内の右側部にベース３を介して配設されている図示省略のファンモータにより駆動されるように構成されている。このクロスフローファン１８の下流側前方には、吹出しグリル７と一体成形されたスタビライザ１９が配設されており、該スタビライザ１８とベース３に成形されている空気流路壁９とによって、吹出し口１４に至る吹出し流路２０が形成されている。
【００１８】
吹出しグリル７には、室内熱交換器１７を構成している熱交換器１７Ａないし１７Ｃから流下するドレンを受ける前面側ドレンパン２１が、スタビライザ１９と共に一体に成形されている。また、吹出しグリル７には、吹出し口１４から吹出される温調風の風向を左右方向に調整する複数枚の縦ルーバ（ルーバ）２２が回動可能に配設されるとともに、温調風の風向を上下方向に調整する上下２枚の水平フラップ（フラップ）２３が回動可能に配設されている。
【００１９】
複数枚のルーバ２２は、吹出しグリル７の吹出し口１４内に支軸２４を介して各々回動自在に支持されており、左右の複数枚のルーバ群が互いに連結バー２５で連結され、ルーバ群単位で各々独立して左右に回動可能とされている。このルーバ２２は、図３（ルーバ用のモータおよびブラケットなしの状態）および図４（ルーバ用のモータおよびブラケットありの状態）に示されるように、吹出しグリル７の左右両側壁７Ａ（左側壁７Ａのみが図示されている。）にブラケット２６を介してモータ２７を設置するとともに、該モータ２７の駆動軸と連結バー２５とをリンク機構（図示省略）を介して連結し、モータ２７の回転を連結バー２５の左右方向への移動に変換することにより各ルーバ２２を支軸２４回りに回動可能な構成とするか、もしくは手動で動かされる構成とされている。
【００２０】
また、上下２枚のフラップ２３は、図３および図４に示されるように、吹出しグリル７の左右両側壁７Ａ（左側壁７Ａのみが図示されている。）に各々の支軸２３Ａが回動可能に支持されており、通常は右側壁にブラケットを介して設置されているモータにより、リンク機構を介して互いに同期もしくは同調して吹出し口１４を閉じる位置（図２に図示の状態）から空調風を略真下方向（垂直下向き方向）に吹出す位置迄の範囲を回動可能に設置されている。
【００２１】
さらに、吹出しグリル７に一体成形されている前面側ドレンパン２１の前面および左右両側面には、その表面での結露を防止するために、発泡ウレタンや発泡スチロール等の発泡材により構成される断熱材２８Ａないし２８Ｃ（なお、右側面側の断熱材２８Ｃは、図示省略されている。）が固定設置されている。右側面側の断熱材は、一般に吹出しグリル７の右側壁にフラップ駆動用のモータが取り付けられていることから、このモータ取り付け用ブラケット等を利用して挟持されるようになっている。
【００２２】
前面側断熱材２８Ａは、中央部および左右両端部の３箇所（中央部と左端部の２箇所のみが図示されている。）がネジ２９を介して前面側ドレンパン２１の前面にネジ止め固定されている。また、左側面側断熱材２８Ｂは、左側壁７Ａに設置されるルーバ２２の駆動用モータおよびブラケットの有無にかかわりなく、前面側ドレンパン２１の前面に固定設置されるように、前面側断熱材２８Ａの端部および側面側断熱材２８Ｂの端部の少なくとも一部、すなわち図３に示されている網掛け部分が互いにインロー配置３０とされ、両断熱材２８Ａ，２８Ｂの互いに重なり合っている部分を１個のネジ２９により共締めすることにより固定される構成とされている。
【００２３】
以上に説明の構成により、本実施形態によれば、以下の作用効果を奏する。
空気調和機１は、クロスフローファン（送風ファン）１８が回転されることにより、室内の空気を吸込みグリル１２および吸込み口１３を介して筐体２内に吸込んでいる。筐体２内に吸込まれた空気は、エアフィルタ１５および空気浄化フィルタ１６によって浄化された後、複数の前面側熱交換器１７Ａないし１７Ｃと背面側熱交換器１７Ｄとからなる室内熱交換器１７に流通され、該室内熱交換器１７を介して冷媒と熱交換されることにより冷却または加熱される。
【００２４】
この温調風は、クロスフローファン（送風ファン）１８により付勢され、吹出し流路２０を経て吹出し口１４から室内へと吹出されることにより、室内の空調に供される。室内に吹出される温調風は、吹出し口１４に設けられている縦ルーバ（ルーバ）２２および水平フラップ（フラップ）２３によって風向が調整され、任意のエリアに向けて吹出されるようになっている。ここで、室内熱交換器１７を蒸発器として機能させ冷房運転を行っているときに、結露が心配される部位には断熱材が設けられている。
【００２５】
吹出しグリル７に一体成形されている前面側ドレンパン２１の前面および左右両側面にも断熱材２８Ａないし２８Ｃが固定設置されているが、これらの断熱材２８Ａないし２８Ｃは、組み立て性やリサイクル性の面から、できるだけ簡素な設置構造とすることが望ましい。しかるに、本実施形態によれば、前面側断熱材２８Ａの端部と側面側断熱材２８Ｂの端部の少なくとも一部が互いにインロー配置３０とされ、該インロー配置とされた両断熱材２８Ａ，２８Ｂの互いに重なり合っている部分がネジ２９によって共締め固定されている。
【００２６】
このため、吹出しグリル７がルーバ駆動機構を有する機種と有さない機種とに共用部品として用いられ、該吹出しグリル７に組み付けられるモータ２７およびリンク機構等の部品が異なる場合であっても、前面側断熱材２８Ａおよび側面側断熱材２８Ｂを共通の１個のネジ２９によって前面側ドレンパン２１に対し共締め固定することができる。これによって、断熱材２８Ａ，２８Ｂを前面側ドレンパ２１に固定配置するためのネジ２９を共用化してネジ数やブラケット等を削減し、断熱材の固定構造を簡素化して組み立て易くすることができるとともに、コスト低減を図ることができる。また、ネジ２９の取り外しにより断熱材２８Ａおよび２８Ｂを簡単に取り外せるため、リサイクルも容易である。
【００２７】
さらに、ネジ２９によって共締め固定されている断熱材が前面側断熱材２８Ａおよび左側面側断熱材２８Ｂとされているため、左側面側断熱材２８Ｂを吹出しグリル７の左側壁７Ａに組み付けられる左右ルーバ独立駆動用モータ２７の有無にかかわりなく、前面側断熱材２８Ａを固定するネジ２９と共通のネジ２９により共締め固定することができる。従って、左右ルーバ独立駆動用モータ２７の有無に対応して断熱材２８Ｂの固定構造を変更する必要がなく、吹出しグリル７のみならず、断熱材やネジについても部品の共用化を図ることができ、生産性を高めることができる。
【００２８】
なお、本発明は、上記実施形態にかかる発明に限定されるものではなく、その要旨を逸脱しない範囲において、適宜変形が可能である。例えば、上記実施形態では、図示省略の右側面側断熱材２８Ｃについては、吹出しグリル７の右側壁に設置されるフラップ駆動用モータが取り付けられるブラケットを利用し、該ブラケットにより右側面側断熱材を挟持して固定設置している例について説明したが、右側面側断熱材２８Ｃについても、上記実施形態と同様、前面側断熱材２８Ａと共締め固定する構成としてもよいことはもちろんである。
【００２９】
さらに、インロー配置３０のインロー構成自体は、一部が互いに重ね合わされている構成であれば、単に上下に重ね合わせたもの、凹部に凸部を嵌入して一部を互いに重ね合わせたもの等、いかなる構成であってもよい。また、共締め用のネジ２９は、必ずしも１個である必要はないが、組み立て性やリサイクル性の面から極力少ない方が望ましい。
【図面の簡単な説明】
【００３０】
【図１】本発明の一実施形態に係る空気調和機の外観斜視図である。
【図２】図１に示す空気調和機の縦断面図である。
【図３】図１に示す空気調和機の吹出しグリルの正面図である。
【図４】図３に示す吹出しグリルの一方の水平フラップの支軸中心を通る縦断面図である。
【符号の説明】
【００３１】
１  空気調和機
７  吹出しグリル
１７  室内熱交換器
２１  前面側ドレンパン
２８Ａ  前面側断熱材
２８Ｂ  側面側断熱材
２９  ネジ
３０  インロー配置
【図１】
2010121872.tif 000003
【図２】
2010121872.tif 000004
【図３】
2010121872.tif 000005
【図４】
2010121872.tif 000006